(57)【要約】【課題】セルラ通信部及び無線ＬＡＮ通信部を有するユーザ端末が、効率よくアクセスポイントを発見する。【解決手段】本発明に係る通信制御方法は、セルラ通信部及び無線ＬＡＮ通信部を有するユーザ端末が、小セル基地局の近くに存在することを検知する検知ステップと、前記ユーザ端末が、前記小セル基地局が、無線ＬＡＮアクセスポイントと同じ場所に配置された併設タイプであることを認識する認識ステップと、前記ユーザ端末が、前記無線ＬＡＮアクセスポイントを発見していない場合で、且つ、前記小セル基地局が、前記併設タイプであることを認識した場合に、前記無線ＬＡＮアクセスポイントを発見するためのスキャンを開始するスキャン開始ステップと、を有する。【選択図】図９
2014220779.tif 000002
【特許請求の範囲】
【請求項１】
セルラ通信システムを無線ＬＡＮシステムと連携させるための通信制御方法であって、
セルラ通信部及び無線ＬＡＮ通信部を有するユーザ端末が、小セル基地局の近くに存在することを検知する検知ステップと、
前記ユーザ端末が、前記小セル基地局が、無線ＬＡＮアクセスポイントと同じ場所に配置された併設タイプであることを認識する認識ステップと、
前記ユーザ端末が、前記無線ＬＡＮアクセスポイントを発見していない場合で、且つ、前記小セル基地局が、前記併設タイプであることを認識した場合に、前記無線ＬＡＮアクセスポイントを発見するためのスキャンを開始するスキャン開始ステップと、を有することを特徴とする通信制御方法。
【請求項２】
前記認識ステップにおいて、前記ユーザ端末は、前記併設タイプである小セル基地局に関する併設リストに基づいて、前記小セル基地局が、前記併設タイプであることを認識することを特徴とする請求項１に記載の通信制御方法。
【請求項３】
前記検知ステップにおいて、前記ユーザ端末は、前記小セル基地局からセル識別子を受信することによって、前記小セル基地局の近くに存在することを検知し、
前記認識ステップにおいて、前記ユーザ端末は、前記セル識別子と、前記併設リストに含まれるセル識別子とが一致した場合に、前記小セル基地局が、前記併設タイプであることを認識することを特徴とする請求項２に記載の通信制御方法。
【請求項４】
前記検知ステップにおいて、前記ユーザ端末は、自身がアクセス権を有する特定セルに関するホワイトリストに含まれる位置情報に基づいて、前記小セル基地局の近くに存在することを検知し、
前記認識ステップにおいて、前記ユーザ端末は、前記ホワイトリストに含まれるセル識別子と、前記併設リストに含まれるセル識別子とが一致した場合に、前記小セル基地局が、前記併設タイプであることを認識することを特徴とする請求項２に記載の通信制御方法。
【請求項５】
前記ユーザ端末が、前記小セル基地局が管理する小セルよりも大きなセルを管理する基地局から前記併設リストを取得する取得ステップを、さらに有することを特徴とする請求項２に記載の通信制御方法。
【請求項６】
前記ユーザ端末が、前記小セル基地局の近くに存在することを検知した場合に、前記小セル基地局の近くに存在することを、前記小セル基地局が管理する小セルよりも大きなセルを管理する基地局に通知するユーザ通知ステップと、
前記基地局が、前記ユーザ通知ステップにおける通知に基づいて、前記ユーザ端末の近くに存在する前記小セル基地局が前記併設タイプであるか否かを判定する判定ステップと、
前記基地局が、前記判定ステップにおいて判定した前記小セル基地局が前記併設タイプである旨を前記ユーザ端末に通知する基地局通知ステップと、をさらに有し、
前記認識ステップにおいて、前記ユーザ端末は、前記基地局通知ステップにおける通知に基づいて、前記小セル基地局が、前記併設タイプであることを認識することを特徴とする請求項１に記載の通信制御方法。
【請求項７】
前記検知ステップにおいて、前記ユーザ端末は、前記小セル基地局からセル識別子を受信することによって、前記小セル基地局の近くに存在することを検知し、
前記ユーザ通知ステップにおいて、前記ユーザ端末は、前記小セル基地局からの受信電力の測定報告によって、前記小セル基地局の近くに存在する旨を前記基地局に通知することを特徴とする請求項６に記載の通信制御方法。
【請求項８】
前記検知ステップにおいて、前記ユーザ端末は、自身がアクセス権を有する特定セルに関するホワイトリストに含まれる位置情報に基づいて、前記小セル基地局の近くに存在することを検知し、
前記ユーザ通知ステップにおいて、前記ユーザ端末は、前記特定セルの近くにいることを示す近傍通知によって、前記小セル基地局の近くに存在する旨を前記基地局に通知することを特徴とする請求項６に記載の通信制御方法。
【請求項９】
前記小セル基地局が、自局が前記併設タイプである旨を前記ユーザ端末に通知する通知ステップをさらに有し、
前記認識ステップにおいて、前記ユーザ端末は、前記小セル基地局と接続している場合で、且つ、前記通知ステップにおける通知を受信した場合に、前記小セル基地局が前記併設タイプであると認識することを特徴とする請求項１に記載の通信制御方法。
【請求項１０】
前記通知ステップにおいて、前記小セル基地局は、前記無線ＬＡＮアクセスポイントと直接的に接続されている場合に、前記通知ステップにおける通知と共に、前記スキャンを行うチャンネルを指定する情報を送信することを特徴とする請求項９に記載の通信制御方法。
【請求項１１】
セルラ通信部及び無線ＬＡＮ通信部を有するユーザ端末であって、
小セル基地局の近くに存在することを検知する制御を行う制御部を備え、
前記制御部は、前記小セル基地局が、無線ＬＡＮアクセスポイントと同じ場所に配置された併設タイプであることを認識する制御を行い、
前記制御部は、前記ユーザ端末が、前記無線ＬＡＮアクセスポイントを発見していない場合で、且つ、前記小セル基地局が、前記併設タイプであることを認識した場合に、前記無線ＬＡＮアクセスポイントを発見するためのスキャンを開始する制御を行うことを特徴とするユーザ端末。
【請求項１２】
セルラ通信部及び無線ＬＡＮ通信部を有するユーザ端末に備えられるプロセッサであって、
小セル基地局の近くに存在することを検知する処理を実行し、
前記小セル基地局が、無線ＬＡＮアクセスポイントと同じ場所に配置された併設タイプであることを認識する処理を実行し、
前記ユーザ端末が、前記無線ＬＡＮアクセスポイントを発見していない場合で、且つ、前記小セル基地局が、前記併設タイプであることを認識した場合に、前記無線ＬＡＮアクセスポイントを発見するためのスキャンを開始する処理を実行することを特徴とするプロセッサ。
【発明の詳細な説明】
【技術分野】
【０００１】
本発明は、セルラ通信システムを無線ＬＡＮシステムと連携させるための通信制御方法、ユーザ端末、及び、プロセッサに関する。
【背景技術】
【０００２】
近年、セルラ通信部及び無線ＬＡＮ通信部を有するユーザ端末（いわゆる、デュアル端末）の普及が進んでいる。また、セルラ通信システムのオペレータにより管理される無線ＬＡＮアクセスポイント（以下、「アクセスポイント」と称する）が増加している。
【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラ通信システムと無線ＬＡＮシステムとの連携を強化できる技術が検討される予定である（非特許文献１参照）。
【０００４】
ところで、ユーザ端末は、無線ＬＡＮシステムにおけるデータ通信（以下、「無線ＬＡＮ通信」と称する）を行う場合、アクセスポイントを発見するためにスキャンを行う。スキャンによって、アクセスポイントを発見したユーザ端末は、アクセスポイントと接続することによって、無線ＬＡＮ通信を行う。
【先行技術文献】
【非特許文献】
【０００５】
【非特許文献１】３ＧＰＰ寄書  ＲＰ−１２０１４５５
【発明の概要】
【発明が解決しようとする課題】
【０００６】
しかしながら、無線ＬＡＮ通信を望むユーザ端末は、アクセスポイントを発見できない場合、スキャンをし続けなければならず、無駄なスキャンが行われるという問題がある。
【０００７】
そこで、本発明は、セルラ通信部及び無線ＬＡＮ通信部を有するユーザ端末が、効率よくアクセスポイントを発見可能な通信制御方法、ユーザ端末、及び、プロセッサを提供する。
【課題を解決するための手段】
【０００８】
一実施形態によれば、セルラ通信システムを無線ＬＡＮシステムと連携させるための通信制御方法は、セルラ通信部及び無線ＬＡＮ通信部を有するユーザ端末が、小セル基地局の近くに存在することを検知する検知ステップと、前記ユーザ端末が、前記小セル基地局が、無線ＬＡＮアクセスポイントと同じ場所に配置された併設タイプであることを認識する認識ステップと、前記ユーザ端末が、前記ユーザ端末が、前記無線ＬＡＮアクセスポイントを発見していない場合で、且つ、前記小セル基地局が、前記併設タイプであることを認識した場合に、前記無線ＬＡＮアクセスポイントを発見するためのスキャンを開始するスキャン開始ステップと、を有する。
【発明の効果】
【０００９】
本発明に係る通信制御方法、ユーザ端末、及び、プロセッサは、セルラ通信部及び無線ＬＡＮ通信部を有するユーザ端末が、効率よくアクセスポイントを発見可能である。
【図面の簡単な説明】
【００１０】
【図１】図１は、第１実施形態及び第２実施形態に係るシステム構成図である。
【図２】図２は、第１実施形態及び第２実施形態に係るＵＥ（ユーザ端末）のブロック図である。
【図３】図３は、第１実施形態及び第２実施形態に係るｅＮＢ（セルラ基地局）のブロック図である。
【図４】図４は、第１実施形態及び第２実施形態に係るＨｅＮＢのブロック図である。
【図５】図５は、第１実施形態及び第２実施形態に係るＡＰ（アクセスポイント）のブロック図である。
【図６】図６は、ＬＴＥシステムにおける無線インターフェイスのプロトコルスタック図である。
【図７】図７は、ＬＴＥシステムで使用される無線フレームの構成図である。
【図８】図８は、ＵＥ１００、ｅＮＢ２００、ＨｅＮＢ３００、及びＡＰ４００の位置関係を示す図である。
【図９】図９は、第１実施形態に係る動作を説明するためのシーケンス図である。
【図１０】図１０は、第１実施形態の変形例に係る動作を説明するためのシーケンス図である。
【図１１】図１１は、第２実施形態に係る動作を説明するためのシーケンス図である。
【図１２】図１２は、第２実施形態の変形例に係る動作を説明するためのシーケンス図である。
【発明を実施するための形態】
【００１１】
［実施形態の概要］
第１実施形態及び第２実施形態に係る通信制御方法は、セルラ通信システムを無線ＬＡＮシステムと連携させるための通信制御方法である。当該通信制御方法は、セルラ通信部及び無線ＬＡＮ通信部を有するユーザ端末が、小セル基地局の近くに存在することを検知する検知ステップと、前記ユーザ端末が、前記小セル基地局が、無線ＬＡＮアクセスポイントと同じ場所に配置された併設タイプであることを認識する認識ステップと、前記ユーザ端末が、前記無線ＬＡＮアクセスポイントを発見していない場合で、且つ、前記小セル基地局が、前記併設タイプであることを認識した場合に、前記無線ＬＡＮアクセスポイントを発見するためのスキャンを開始するスキャン開始ステップと、を有する。
【００１２】
第１実施形態に係る通信制御方法では、前記認識ステップにおいて、前記ユーザ端末は、前記併設タイプである小セル基地局に関する併設リストに基づいて、前記小セル基地局が、前記併設タイプであることを認識する。
【００１３】
第１実施形態に係る通信制御方法では、前記検知ステップにおいて、前記ユーザ端末は、前記小セル基地局からセル識別子を受信することによって、前記小セル基地局の近くに存在することを検知し、前記認識ステップにおいて、前記ユーザ端末は、前記セル識別子と、前記併設リストに含まれるセル識別子とが一致した場合に、前記小セル基地局が、前記併設タイプであることを認識する。
【００１４】
第１実施形態に係る通信制御方法では、前記検知ステップにおいて、前記ユーザ端末は、自身がアクセス権を有する特定セルに関するホワイトリストに含まれる位置情報に基づいて、前記小セル基地局の近くに存在することを検知し、前記認識ステップにおいて、前記ユーザ端末は、前記ホワイトリストに含まれるセル識別子と、前記併設リストに含まれるセル識別子とが一致した場合に、前記小セル基地局が、前記併設タイプであることを認識する。
【００１５】
第１実施形態に係る通信制御方法は、前記ユーザ端末が、前記小セル基地局が管理する小セルよりも大きなセルを管理する基地局から前記併設リストを取得する取得ステップを、さらに有する。
【００１６】
第２実施形態に係る通信制御方法は、前記ユーザ端末が、前記小セル基地局の近くに存在することを検知した場合に、前記小セル基地局の近くに存在することを、前記小セル基地局が管理する小セルよりも大きなセルを管理する基地局に通知するユーザ通知ステップと、前記基地局が、前記ユーザ通知ステップにおける通知に基づいて、前記ユーザ端末の近くに存在する前記小セル基地局が前記併設タイプであるか否かを判定する判定ステップと、前記基地局が、前記判定ステップにおいて判定した前記小セル基地局が前記併設タイプである旨を前記ユーザ端末に通知する基地局通知ステップと、をさらに有し、前記認識ステップにおいて、前記ユーザ端末は、前記基地局通知ステップにおける通知に基づいて、前記小セル基地局が、前記併設タイプであることを認識する。
【００１７】
第２実施形態に係る通信制御方法では、前記検知ステップにおいて、前記ユーザ端末は、前記小セル基地局からセル識別子を受信することによって、前記小セル基地局の近くに存在することを検知し、前記ユーザ通知ステップにおいて、前記ユーザ端末は、前記小セル基地局からの受信電力の測定報告によって、前記小セル基地局の近くに存在する旨を前記基地局に通知する。
【００１８】
第２実施形態に係る通信制御方法では、前記検知ステップにおいて、前記ユーザ端末は、自身がアクセス権を有する特定セルに関するホワイトリストに含まれる位置情報に基づいて、前記小セル基地局の近くに存在することを検知し、前記ユーザ通知ステップにおいて、前記ユーザ端末は、前記特定セルの近くにいることを示す近傍通知によって、前記小セル基地局の近くに存在する旨を前記基地局に通知する。
【００１９】
その他実施形態に係る通信制御方法は、前記小セル基地局が、自局が前記併設タイプである旨を前記ユーザ端末に通知する通知ステップをさらに有し、前記認識ステップにおいて、前記ユーザ端末は、前記小セル基地局と接続している場合で、且つ、前記通知ステップにおける通知を受信した場合に、前記小セル基地局が前記併設タイプであると認識する。
【００２０】
その他実施形態に係る通信制御方法では、前記通知ステップにおいて、前記小セル基地局は、前記無線ＬＡＮアクセスポイントと直接的に接続されている場合に、前記通知ステップにおける通知と共に、前記スキャンを行うチャンネルを指定する情報を送信する。
【００２１】
実施形態に係るユーザ端末は、セルラ通信部及び無線ＬＡＮ通信部を有するユーザ端末であって、小セル基地局の近くに存在することを検知する制御を行う制御部を備え、前記制御部は、前記小セル基地局が、無線ＬＡＮアクセスポイントと同じ場所に配置された併設タイプであることを認識する制御を行い、前記制御部は、前記ユーザ端末が、前記無線ＬＡＮアクセスポイントを発見していない場合で、且つ、前記小セル基地局が、前記併設タイプであることを認識した場合に、前記無線ＬＡＮアクセスポイントを発見するためのスキャンを開始する制御を行う。
【００２２】
実施形態に係るプロセッサは、セルラ通信部及び無線ＬＡＮ通信部を有するユーザ端末に備えられるプロセッサであって、小セル基地局の近くに存在することを検知する処理を実行し、前記小セル基地局が、無線ＬＡＮアクセスポイントと同じ場所に配置された併設タイプであることを認識する処理を実行し、前記ユーザ端末が、前記無線ＬＡＮアクセスポイントを発見していない場合で、且つ、前記小セル基地局が、前記併設タイプであることを認識した場合に、前記無線ＬＡＮアクセスポイントを発見するためのスキャンを開始する処理を実行する。
【００２３】
なお、本明細書において、無線端末が、無線ＬＡＮアクセスポイントを発見していないケースとして、無線ＬＡＮ通信部がオフ状態であるため、無線ＬＡＮアクセスポイントが発見されていないケースと、無線ＬＡＮ通信部がオン状態であるが、スキャンを停止しているため、無線ＬＡＮアクセスポイントが発見されていないケースと、を含む。
【００２４】
以下、図面を参照して、３ＧＰＰ規格に準拠して構成されるセルラ通信システム（ＬＴＥシステム）を無線ＬＡＮ（ＷＬＡＮ）システムと連携させる場合の各実施形態を説明する。
【００２５】
［第１実施形態］
（システム構成）
図１は、第１実施形態に係るシステム構成図である。図１に示すように、セルラ通信システムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は、無線アクセスネットワークに相当する。ＥＰＣ２０は、コアネットワークに相当する。
【００２６】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００２７】
Ｅ−ＵＴＲＡＮ１０は、ｅＮＢ２００（ｅｖｏｌｖｅｄ  Ｎｏｄｅ−Ｂ）と、ＨｅＮＢ３００（Ｈｏｍｅ  ｅｖｏｌｖｅｄ  Ｎｏｄｅ−Ｂ）とを含む。ｅＮＢ２００はセルラ基地局に相当する。
【００２８】
ｅＮＢ２００は、１又は複数のセル（大セル）を管理しており、自セルとの接続（ＲＲＣコネクション）を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００２９】
ｅＮＢ２００は、Ｘ２インターフェイスを介して相互に接続される。また、ｅＮＢ２００は、Ｓ１インターフェイスを介して、ＥＰＣ２０に含まれるＭＭＥ／Ｓ−ＧＷ５００と接続される。
【００３０】
ＨｅＮＢ３００は、大セルよりもカバー範囲が狭い特定セル（小セル）を管理する。ＨｅＮＢ３００は、特定セルとの接続（ＲＲＣコネクション）を確立したＵＥ１００との無線通信を行う。
【００３１】
特定セルは、設定されるアクセスモードに応じて、「ＣＳＧセル」、「ハイブリッドセル」、又は「オープンセル」と称される。
【００３２】
ＣＳＧセルは、アクセス権を有するＵＥ１００（「メンバーＵＥ」と称される）のみがアクセス可能なセルであり、ＣＳＧ  ＩＤをブロードキャストする。ＵＥ１００は、自身がアクセス権を有するＣＳＧセルのＣＳＧ  ＩＤのリスト（ホワイトリスト）を保持しており、当該ホワイトリストと、ＣＳＧセルがブロードキャストするＣＳＧ  ＩＤと、に基づいて、アクセス権の有無を判断する。
【００３３】
ハイブリッドセルは、メンバーＵＥが非メンバーＵＥよりも有利に取り扱われるセルであり、ＣＳＧ  ＩＤに加えて、非メンバーＵＥにも解放されたセルであることを示す情報をブロードキャストする。ＵＥ１００は、ホワイトリストと、ハイブリッドセルがブロードキャストするＣＳＧ  ＩＤと、に基づいて、アクセス権の有無を判断する。
【００３４】
オープンセルは、メンバーであるか否かを問わずＵＥ１００が同等に取り扱われるセルであり、ＣＳＧ  ＩＤをブロードキャストしない。ＵＥ１００の視点では、オープンセルはセルと同等である。
【００３５】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００を含む。
【００３６】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＭＭＥは、ＣＳＧセルへのアクセス権についてＵＥ１００の認証を行う。
【００３７】
ＷＬＡＮシステムは、ＷＬＡＮ  ＡＰ（以下、「ＡＰ」と称する）４００を含む。ＷＬＡＮシステムは、例えばＩＥＥＥ  ８０２．１１諸規格に準拠して構成される。ＡＰ４００は、セルラ周波数帯とは異なる周波数帯（ＷＬＡＮ周波数帯）でＵＥ１００との通信を行う。ＡＰ４００は、ルータなどを介してＥＰＣ２０に接続される。
【００３８】
ＨｅＮＢ３００とＡＰ４００とは、同じ場所に配置（Ｃｏｌｌｏｃａｔｅｄ）されている。従って、ＨｅＮＢ３００は、併設タイプである。例えば、併設タイプのＨｅＮＢ３００として、ＨｅＮＢ３００とＡＰ４００とが、同一の筐体に配置された一体型であってもよい。Ｃｏｌｌｏｃａｔｅｄの一形態として、ＨｅＮＢ３００及びＡＰ４００がオペレータの任意のインターフェイスで直接的に接続されていてもよい。また、ＨｅＮＢ３００とＡＰ４００とは、制御部を共有してもよい。
【００３９】
次に、ＵＥ１００、ｅＮＢ２００、ＨｅＮＢ３００、及び、ＡＰ４００の構成を説明する。
【００４０】
図２は、ＵＥ１００のブロック図である。図２に示すように、ＵＥ１００は、アンテナ１０１及び１０２と、セルラ送受信機（セルラ通信部）１１１と、ＷＬＡＮ送受信機（無線ＬＡＮ通信部）１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４１】
アンテナ１０１及びセルラ送受信機１１１は、セルラ無線信号の送受信に用いられる。セルラ送受信機１１１は、プロセッサ１６０が出力するベースバンド信号をセルラ無線信号に変換してアンテナ１０１から送信する。また、セルラ送受信機１１１は、アンテナ１０１が受信するセルラ無線信号をベースバンド信号に変換してプロセッサ１６０に出力する。
【００４２】
アンテナ１０２及びＷＬＡＮ送受信機１１２は、ＷＬＡＮ無線信号の送受信に用いられる。ＷＬＡＮ送受信機１１２は、プロセッサ１６０が出力するベースバンド信号をＷＬＡＮ無線信号に変換してアンテナ１０２から送信する。また、ＷＬＡＮ送受信機１１２は、アンテナ１０２が受信するＷＬＡＮ無線信号をベースバンド信号に変換してプロセッサ１６０に出力する。
【００４３】
ＷＬＡＮ送受信機１１２は、ＡＰ４００を発見するためのスキャンを行う。
【００４４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの入力を受け付けて、該入力の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４５】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。
【００４６】
プロセッサ１６０は、後述する各種の処理及び各種の通信プロトコルを実行する。具体的には、例えば、プロセッサ１６０は、ＷＬＡＮ送受信機１１２にスキャンを行わせる制御を行う。プロセッサ１６０は、ＡＰ４００を発見していない場合で、且つ、ＨｅＮＢ３００が併設タイプであることを認識した場合に、ＷＬＡＮ送受信機１１２がスキャンを開始するための制御を行う。
【００４７】
図３は、ｅＮＢ２００のブロック図である。図３に示すように、ｅＮＢ２００は、アンテナ２０１と、セルラ送受信機２１０と、ネットワークインターフェイス２２０と、メモリ２３０と、プロセッサ２４０と、を有する。メモリ２３０及びプロセッサ２４０は、制御部を構成する。
【００４８】
アンテナ２０１及びセルラ送受信機２１０は、セルラ無線信号の送受信に用いられる。セルラ送受信機２１０は、プロセッサ２４０が出力するベースバンド信号をセルラ無線信号に変換してアンテナ２０１から送信する。また、セルラ送受信機２１０は、アンテナ２０１が受信するセルラ無線信号をベースバンド信号に変換してプロセッサ２４０に出力する。
【００４９】
ネットワークインターフェイス２２０は、Ｘ２インターフェイスを介して隣接ｅＮＢ２００又は隣接ＨｅＮＢ３００と接続され、Ｓ１インターフェイスを介してＭＭＥ／Ｓ−ＧＷ５００と接続される。また、ネットワークインターフェイス２２０は、ＥＰＣ２０を介したＡＰ４００との通信に使用される。
【００５０】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５１】
図４は、ＨｅＮＢ３００のブロック図である。図４に示すように、ＨｅＮＢ３００は、アンテナ３０１と、セルラ送受信機３１０と、ネットワークインターフェイス３２０と、メモリ３３０と、プロセッサ３４０と、を有する。メモリ３３０及びプロセッサ３４０は、制御部を構成する。なお、メモリ３３０をプロセッサ３４０と一体化し、このセット（すなわち、チップセット）をプロセッサとしてもよい。
【００５２】
アンテナ３０１及びセルラ送受信機３１０は、セルラ無線信号の送受信に用いられる。セルラ送受信機３１０は、プロセッサ３４０が出力するベースバンド信号をセルラ無線信号に変換してアンテナ３０１から送信する。また、セルラ送受信機３１０は、アンテナ３０１が受信するセルラ無線信号をベースバンド信号に変換してプロセッサ３４０に出力する。本実施形態において、セルラ送受信機３１０は、ＣＳＧセルを形成する。
【００５３】
ネットワークインターフェイス３２０は、Ｘ２インターフェイスを介して隣接ｅＮＢ２００又は隣接ＨｅＮＢ３００と接続され、Ｓ１インターフェイスを介してＭＭＥ／Ｓ−ＧＷ５００と接続される。また、ネットワークインターフェイス３２０は、ＥＰＣ２０を介したＡＰ４００との通信に使用される。
【００５４】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。プロセッサ３４０は、後述する各種の処理及び各種の通信プロトコルを実行する。
【００５５】
図５は、ＡＰ４００のブロック図である。図５に示すように、ＡＰ４００は、アンテナ４０１と、ＷＬＡＮ送受信機４１０と、ネットワークインターフェイス４２０と、メモリ４３０と、プロセッサ４４０と、を有する。
【００５６】
アンテナ４０１及びＷＬＡＮ送受信機４１０は、ＷＬＡＮ無線信号の送受信に用いられる。ＷＬＡＮ送受信機４１０は、プロセッサ４４０が出力するベースバンド信号をＷＬＡＮ無線信号に変換してアンテナ４０１から送信する。また、ＷＬＡＮ送受信機４１０は、アンテナ４０１が受信するＷＬＡＮ無線信号をベースバンド信号に変換してプロセッサ４４０に出力する。
【００５７】
ネットワークインターフェイス４２０は、ルータなどを介してＥＰＣ２０と接続される。また、ネットワークインターフェイス４２０は、ＥＰＣ２０を介したｅＮＢ２００との通信に使用される。
【００５８】
メモリ４３０は、プロセッサ４４０によって実行されるプログラムと、プロセッサ３４０による処理に使用される情報と、を記憶する。プロセッサ４４０は、ベースバンド信号の変調・復調及び符号化・復号などを行うベースバンドプロセッサと、メモリ４３０に記憶されるプログラムを実行して各種の処理を行うＣＰＵと、を含む。プロセッサ４４０は、後述する各種の処理及び各種の通信プロトコルを実行する。
【００５９】
なお、メモリ４３０をプロセッサ４４０と一体化し、このセット（すなわち、チップセット）をプロセッサとしてもよい。
【００６０】
図６は、セルラ通信システムにおける無線インターフェイスのプロトコルスタック図である。図６に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００６１】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００６２】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを選択するスケジューラを含む。
【００６３】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００６４】
ＰＤＣＰレイヤは、ヘッダ圧縮・伸張、及び暗号化・復号化を行う。
【００６５】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００６６】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６７】
図７は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００６８】
図７に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６９】
ＵＥ１００に割り当てられる無線リソースのうち、周波数リソースはリソースブロックにより特定でき、時間リソースはサブフレーム（又はスロット）により特定できる。
【００７０】
（コロケーティッドＡＰリスト）
本実施形態において、ＵＥ１００は、コロケーティッドＡＰリスト（ｃｏｌｌｏｃａｔｅｄ  ＡＰ  ｌｉｓｔ：併設リスト）を有する。従って、ＵＥ１００とｅＮＢ２００とは、コロケーティッドＡＰリストを共有する。
【００７１】
コロケーティッドＡＰリストは、ＡＰ４００と同じ場所に配置された併設タイプであるＨｅＮＢ３００が管理する小セルのセルＩＤと、当該ＨｅＮＢ３００の位置情報とを含む。
【００７２】
ＵＥ１００は、コロケーティッドＡＰリストをｅＮＢ２００から取得する。例えば、ＵＥ１００は、コネクションを確立する時、ハンドオーバを実行する時、又は、ページングエリアを変更する時のタイミングで、ｅＮＢ２００からコロケーティッドＡＰリストを受信する。
【００７３】
ｅＮＢ２００は、ＵＥ１００がセルラ通信及びＷＬＡＮ通信の両通信方式をサポートすることを示すケーパビリティ情報に基づいて、コロケーティッドＡＰリストをＵＥ１００に送信してもよい。
【００７４】
（第１実施形態に係る動作）
次に、第１実施形態に係る動作について、図８及び図９を用いて説明する。図８は、ＵＥ１００、ｅＮＢ２００、ＨｅＮＢ３００、及びＡＰ４００の位置関係を示す図である。図９は、第１実施形態に係る動作を説明するためのシーケンス図である。
【００７５】
図８に示すように、ＵＥ１００は、ｅＮＢ２００が管理する大セルに在圏する。また、ＨｅＮＢ３００及びＡＰ４００は、同じ場所に配置されている。すなわち、ＨｅＮＢ３００は、併設タイプである。ＨｅＮＢ３００が管理する小セルのカバレッジとＡＰ４００のカバレッジは、重複しており、同程度の大きさである。また、小セルのカバレッジとＡＰのカバレッジとは、大セルのカバレッジに包含されている。
【００７６】
本実施形態において、ｅＮＢ２００とＨｅＮＢ３００とは、同一の周波数帯で運用している。また、本実施形態において、ＵＥ１００は、ＨｅＮＢ３００の方向へ移動し、小セルのカバレッジ（及びＡＰ４００のカバレッジ）に入ると仮定して説明を進める。従って、ＵＥ１００は、ＡＰ４００を発見していない。
【００７７】
なお、ＵＥ１００のＷＬＡＮ送受信機１１２はオフ状態である。
【００７８】
図９に示すように、ＵＥ１００は、ｅＮＢ２００とコロケーティッドＡＰリストを共有している。すなわち、ＵＥ１００は、コロケーティッドＡＰリストを有する。
【００７９】
図９に示すように、ステップＳ１０１において、ＨｅＮＢ３００は、セルＩＤ（Ｃｅｌｌ  ＩＤ）を含む参照信号を報知する。ＵＥ１００は、参照信号を受信する。これにより、ＵＥ１００は、ＨｅＮＢ３００の近くに存在することを検知する。
【００８０】
ステップＳ１０２において、ＵＥ１００は、参照信号を送信したＨｅＮＢ３００が併設タイプであるか否かを特定する。具体的には、ＵＥ１００は、コロケーティッドＡＰリストに含まれるセルＩＤと参照信号に含まれるセルＩＤとが一致するかどうか確認する。
【００８１】
ＵＥ１００は、コロケーティッドＡＰリストに含まれるセルＩＤと参照信号に含まれるセルＩＤとが一致した場合、ＨｅＮＢ３００が併設タイプであると特定する。すなわち、ＵＥ１００は、ＨｅＮＢ３００が併設タイプであると認識する。
【００８２】
一方、ＵＥ１００は、コロケーティッドＡＰリストに含まれるセルＩＤと参照信号に含まれるセルＩＤとが一致しなかった場合、ＨｅＮＢ３００が併設タイプでないと特定する。すなわち、ＵＥ１００は、ＨｅＮＢ３００が併設タイプでないと認識する。
【００８３】
ステップＳ１０３において、ＵＥ１００は、ＷＬＡＮ送受信機１１２（ＷＬＡＮ  ｍｏｄｕｌｅ）をオン状態に切り替えるか否かを決定する。
【００８４】
ＵＥ１００は、ＨｅＮＢ３００が併設タイプである場合、ＷＬＡＮ送受信機１１２をオフ状態からオン状態に切り替える。一方、ＵＥ１００は、ＨｅＮＢ３００が併設タイプでない場合、ＷＬＡＮ送受信機１１２をオフ状態に維持する。
【００８５】
ＵＥ１００は、ＷＬＡＮ送受信機１１２をオン状態に切り替えることにより、スキャン機能をオン状態にし、ＡＰ４００を発見するためのスキャンを開始する。
【００８６】
（第１実施形態の変形例に係る動作）
次に、第１実施形態の変形例に係る動作について、図１０を用いて説明する。図１０は、第１実施形態の変形例に係る動作を説明するためのシーケンス図である。
【００８７】
本変形例において、ｅＮＢ２００とＨｅＮＢ３００とは、異なる周波数帯で運用している。従って、ＵＥ１００は、ＨｅＮＢ３００からの参照信号を受信できない。
【００８８】
また、本変形例において、ＵＥ１００は、ＵＥ１００がアクセス権を有するＣＳＧセルの位置情報とＣＳＧセルのセルＩＤとを含むホワイトリスト（ＣＳＧ  ｗｈｉｔｅ  ｌｉｓｔ）を有する。
【００８９】
なお、上述の第１実施形態と同様に、ＵＥ１００は、ＨｅＮＢ３００の方向へ移動し、小セルのカバレッジ（及びＡＰのカバレッジ）に入ると仮定して説明を進める。また、その他の条件は、上述の第１実施形態と同様である。
【００９０】
図１０に示すように、ＵＥ１００は、ｅＮＢ２００とコロケーティッドＡＰリストを共有している。
【００９１】
図１０に示すように、ステップＳ２０１において、ＵＥ１００は、ホワイトリストに基づいて、ＨｅＮＢ３００に近接したことを検知する（Ｐｒｏｘｉｍｉｔｙ  Ｅｓｔｉｍａｔｉｏｎ）。これにより、ＵＥ１００は、ＨｅＮＢ３００の近くに存在することを検知する。
【００９２】
ステップＳ２０２において、ＵＥ１００は、コロケーティッドＡＰリストに含まれるセルＩＤと、ホワイトリストに含まれるＣＳＧセルのセルＩＤとが一致するかどうか確認する。
【００９３】
ＵＥ１００は、コロケーティッドＡＰリストに含まれるセルＩＤと、ホワイトリストに含まれるＣＳＧセルのセルＩＤとが一致した場合、ＨｅＮＢ３００が併設タイプであると特定する。すなわち、ＵＥ１００は、ＨｅＮＢ３００が併設タイプであると認識する。
【００９４】
一方、ＵＥ１００は、コロケーティッドＡＰリストに含まれるセルＩＤと、ホワイトリストに含まれるＣＳＧセルのセルＩＤとが一致しなかった場合、ＨｅＮＢ３００が併設タイプでないと特定する。すなわち、ＵＥ１００は、ＨｅＮＢ３００が併設タイプでないと認識する。
【００９５】
ステップＳ２０３は、図９のステップＳ１０３に対応する。
【００９６】
（第１実施形態のまとめ）
本実施形態において、ＵＥ１００は、ＨｅＮＢ３００の近くに存在することを検知する。また、ＵＥ１００は、ＡＰ４００を発見していない場合で、且つ、ＨｅＮＢ３００が併設タイプであることを認識した場合に、ＡＰ４００を発見するためのスキャンを開始する。これにより、ＨｅＮＢ３００が併設タイプであるため、ＨｅＮＢ３００の近くに位置するＵＥ１００の近くにＡＰ４００が存在するため、効率よくＡＰ４００を発見することができる。
【００９７】
本実施形態において、ＵＥ１００は、コロケーティッドＡＰリストに基づいて、ＨｅＮＢ３００が併設タイプであることを認識する。これにより、ＵＥ１００は、ｅＮＢ２００と接続されていない場合であっても、効率よくＡＰ４００を発見することができる。
【００９８】
本実施形態において、ｅＮＢ２００とＨｅＮＢ３００とが、同一の周波数帯で運用されている場合に、ＵＥ１００は、ＨｅＮＢ３００からセルＩＤを受信することによって、ＨｅＮＢ３００の近くに存在することを検知する。これにより、ＵＥ１００は、ＨｅＮＢ３００のセルＩＤを含む参照信号を受信するだけで、ＨｅＮＢ３００の近くに存在することを検知できる。
【００９９】
本実施形態において、ｅＮＢ２００とＨｅＮＢ３００とが、異なる周波数帯で運用されている場合に、ＵＥ１００は、ホワイトリストに含まれる位置情報に基づいて、ＨｅＮＢ３００の近くに存在することを検知する。これにより、ｅＮＢ２００とＨｅＮＢ３００とが、異なる周波数帯で運用していても、ＵＥ１００は、ＨｅＮＢ３００の近くに存在することを検知できる。
【０１００】
本実施形態において、ＵＥ１００は、ｅＮＢ２００からコロケーティッドＡＰリストを取得する。これにより、ＵＥ１００は、ｅＮＢ２００と接続されていない場合であっても、効率よくＡＰ４００を発見することができる。
【０１０１】
［第２実施形態］
（第２実施形態に係る動作）
次に、第２実施形態に係る動作について、図１１を用いて説明する。図１１は、第２実施形態に係る動作を説明するためのシーケンス図である。
【０１０２】
第１実施形態では、ＵＥ１００が、コロケーティッドＡＰリストを用いて、ＨｅＮＢ３００が併設タイプであるか否かを判定していた。本実施形態において、ｅＮＢ２００が、コロケーティッドＡＰリストを用いて、ＨｅＮＢ３００が併設タイプであるか否かを判定する。従って、ｅＮＢ２００は、コロケーティッドＡＰリストを有し、ＵＥ１００は、コロケーティッドＡＰリストを有さない。
【０１０３】
本実施形態において、ｅＮＢ２００とＨｅＮＢ３００とは、同一の周波数帯で運用している。また、本実施形態において、ＵＥ１００は、ＨｅＮＢ３００の方向へ移動し、小セルのカバレッジ（及びＡＰのカバレッジ）に入ると仮定して説明を進める。また、その他の条件は、上述の第１実施形態と同様である。
【０１０４】
図１１に示すように、ステップＳ３０１において、ＨｅＮＢ３００は、セルＩＤ（Ｃｅｌｌ  ＩＤ）を含む参照信号を報知する。ＵＥ１００は、参照信号を受信する。これにより、ＵＥ１００は、ＨｅＮＢ３００の近くに存在することを検知する。
【０１０５】
ステップＳ３０２において、ＵＥ１００は、参照信号の受信電力の測定報告（Ｍｅａｓｕｒｅｍｅｎｔ  Ｒｅｐｏｒｔ）をｅＮＢに送信する。ｅＮＢ２００は、測定報告を受信する。ＵＥ１００は、測定報告によって、ＵＥ１００がＨｅＮＢ３００の近くに存在する旨をｅＮＢ２００に通知する。測定報告は、参照信号に含まれるＨｅＮＢ３００のセルＩＤを含む。
【０１０６】
ステップＳ３０３において、ｅＮＢ２００は、測定報告に含まれるセルＩＤがコロケーティッドＡＰリストのセルＩＤと一致するか否かを判定する。すなわち、ｅＮＢ２００は、参照信号を送信したＨｅＮＢ３００が併設タイプであるか否かを特定する。
【０１０７】
ステップＳ３０４において、ｅＮＢ２００は、測定報告に含まれるセルＩＤがコロケーティッドＡＰリストのセルＩＤと一致する場合（Ｙｅｓの場合）、ＨｅＮＢ３００が併設タイプであることをＵＥ１００に知らせる。また、ｅＮＢ２００は、ＨｅＮＢ３００と同じ場所に配置されたＡＰ４００の識別子（例えば、ＳＳＩＤ（Ｓｅｒｖｉｃｅ  Ｓｅｔ  Ｉｄｅｎｔｉｆｉｅｒ）又はＢＳＳＩＤ（Ｂａｓｉｃ  Ｓｅｒｖｉｃｅ  Ｓｅｔ  Ｉｄｅｎｔｉｆｅｒ））を知らせる。
【０１０８】
一方、ｅＮＢ２００は、測定報告に含まれるセルＩＤがコロケーティッドＡＰリストのセルＩＤと一致しない場合（Ｎｏの場合）、処理を終了する。
【０１０９】
ステップＳ３０５において、ＵＥ１００は、ｅＮＢ２００からＨｅＮＢ３００が併設タイプであることの知らせによって、ＨｅＮＢ３００が併設タイプであると特定する。
【０１１０】
ステップＳ３０６は、図９のステップＳ１０３に対応する。
【０１１１】
なお、ＵＥ１００は、スキャン機能をオン状態に切り替えた場合、ＡＰ４００の識別子に基づいてスキャンを行ってもよい。
【０１１２】
（第２実施形態の変形例）
次に、第２実施形態の変形例に係る動作について、図１２を用いて説明する。図１２は、第２実施形態の変形例に係る動作を説明するためのシーケンス図である。
【０１１３】
本変形例において、第１実施形態に係る変形例と同様に、ｅＮＢ２００とＨｅＮＢ３００とは、異なる周波数帯で運用している。従って、ＵＥ１００は、ＨｅＮＢ３００からの参照信号を受信できない。また、本実施形態において、ＵＥ１００は、ＨｅＮＢ３００の方向へ移動し、小セルのカバレッジ（及びＡＰのカバレッジ）に入ると仮定して説明を進める。また、その他の条件は、上述の第２実施形態と同様である。
【０１１４】
図１２のステップＳ４０１は、図１０のステップＳ２０１に対応する。
【０１１５】
図１２に示すように、ステップＳ４０２において、ＵＥ１００は、ＣＳＧセルの近くにいることを示す近傍通知（Ｐｒｏｘｉｍｉｔｙ  Ｉｎｄｉｃａｔｉｏｎ）をｅＮＢ２００に送信する。ｅＮＢ２００は、近傍通知を受信する。近傍通知は、ＣＳＧセルのセルＩＤを含む。
【０１１６】
ステップＳ４０３において、ｅＮＢ２００は、近傍通知に含まれるセルＩＤがコロケーティッドＡＰリストのセルＩＤと一致するか否かを判定する。すなわち、ｅＮＢ２００は、ＵＥ１００の近傍に存在するＨｅＮＢ３００が併設タイプであるか否かを特定する。
【０１１７】
ステップＳ４０４において、ｅＮＢ２００は、近傍通知に含まれるセルＩＤがコロケーティッドＡＰリストのセルＩＤと一致する場合、ＨｅＮＢ３００が併設タイプであることを示すコロケーション通知（Ｃｏｌｌｏｃａｔｉｏｎ  Ｉｎｄｉｃａｔｉｏｎ）を行う。ＵＥ１００は、コロケーション通知を受信する。
【０１１８】
本実施形態において、ｅＮＢ２００は、コロケーション通知を含む再設定通知（Ｒｅｃｏｎｆｉｇｕｒｅａｔｉｏｎ）を送信する。また、再設定通知は、コロケーション通知の他に測定設定（Ｍｅａｓｕｒｅｍｅｎｔ  Ｃｏｎｆｉｇ．）を含む。
【０１１９】
なお、ｅＮＢ２００は、コロケーション通知と再設定通知とを別々に送信してもよい。      
【０１２０】
一方、ｅＮＢ２００は、近傍通知に含まれるセルＩＤがコロケーティッドＡＰリストのセルＩＤと一致しない場合、コロケーション通知を送信しない。
【０１２１】
ステップＳ４０５において、ＵＥ１００は、コロケーション通知に基づいて、ＨｅＮＢ３００が併設タイプであると特定する。
【０１２２】
ステップＳ４０６は、図９のステップＳ１０３に対応する。
【０１２３】
（第２実施形態のまとめ）
本実施形態において、ｅＮＢ２００は、ＨｅＮＢ３００が併設タイプである旨をＵＥ１００に通知する。これにより、ＵＥ１００は、コロケーティッドＡＰリストに基づいて、ＨｅＮＢ３００が併設タイプであるかを確認するため処理を行う必要がないため、ＵＥ１００の処理負荷を軽減できる。
【０１２４】
本実施形態において、ｅＮＢ２００とＨｅＮＢ３００とが、同一の周波数帯で運用されている場合に、ＵＥ１００は、ＨｅＮＢ３００からの受信電力の測定報告によって、ＨｅＮＢ３００の近くに存在する旨をｅＮＢ２００に通知する。また、ＵＥ１００は、ｅＮＢ２００とＨｅＮＢ３００とが、異なる周波数帯で運用されている場合に、近傍通知によって、ＨｅＮＢ３００の近くに存在する旨をｅＮＢ２００に通知する。これにより、ＵＥ１００は、ＨｅＮＢ３００の近くに存在する旨を通知するための新たな通知をする必要がないため、ＵＥ１００の処理負荷を軽減できる。
【０１２５】
［その他の実施形態］
上述した第２実施形態では、ｅＮＢ２００が、ＨｅＮＢ３００が併設タイプであるか否かを特定していたが、これに限られない。ｅＮＢ２００の上位装置（例えば、ＭＭＥ）が、ＨｅＮＢ３００が併設タイプであるか否かを特定してもよい。この場合、ｅＮＢ２００の上位装置が、コロケーティッドＡＰリストを有する。
【０１２６】
また、上述した第２実施形態の変形例では、ｅＮＢ２００は、再設定通知と共に、コロケーション通知をＵＥ１００に送信していたが、これに限られない。ｅＮＢ２００は、コロケーション通知の代わりに、ＡＰ４００の識別子をＵＥ１００に送信してもよい。この場合、ＵＥ１００は、測定トリガ（Ｍｅａｓｕｒｅｍｅｎｔ  Ｔｒｉｇｇｅｒ）がかかった時点で、スキャン機能をオンにして、送信されたＡＰ４００の識別子を発見するためのスキャンを開始することができる。
【０１２７】
また、上述した実施形態では、ＷＬＡＮ送受信機１１２をオフ状態からオン状態に切り替えることにより、スキャンを開始していたが、これに限られない。例えば、ＷＬＡＮがオン状態であるＵＥ１００が、スキャン機能がオフ状態である場合に、ＨｅＮＢ３００が併設タイプであることを認識した場合に、スキャン機能をオン状態に切り替えてもよい。これにより、ＵＥ１００は、スキャンを開始する。また、スキャン機能がオン状態であるが、スキャンを停止している場合（例えば、周期的にスキャンを行うモード、又は、特定のイベントに基づいてスキャンを開始するモードが選択されたスキャン機能がオン状態の場合）に、ＵＥ１００は、ＨｅＮＢ３００が併設タイプであることを認識したことをトリガとして、スキャンを再開（開始）してもよい。
【０１２８】
また、上述した実施形態では、小セル基地局として、ＨｅＮＢ３００を例に挙げて説明せいたが、これに限られない。例えば、小セル基地局は、スモールセルを管理するフェムトセル又はピコセルであってもよい。
【０１２９】
また、上述した実施形態では、ｅＮＢ２００とＨｅＮＢ３００とが同一の周波数帯で運用するケースと異なる周波数帯で運用するケースに分けて説明したが、異なる周波数帯で運用するケースであっても、ＵＥ１００が、自身が在圏しているセルと異なる周波数帯のセルを管理するｅＮＢ２００（又はＨｅＮＢ３００）から参照信号を受信できる場合には、ＵＥ１００は、受信した参照信号に基づいて、上述した実施形態の処理を実行してもよい。
【０１３０】
また、ＵＥ１００が、ＨｅＮＢ３００と接続している場合、ＨｅＮＢ３００が、自局が併設タイプである旨をＵＥにブロードキャスト又はユニキャストで通知してもよい。これにより、ＵＥ１００は、ＨｅＮＢ３００が併設タイプあることを認識する。これにより、ＵＥ１００は、コロケーティッドＡＰリストに基づいて、ＨｅＮＢ３００が併設タイプであるかを確認するため処理を行う必要がないため、ＵＥ１００の処理負荷を軽減できる。
【０１３１】
また、ｅＮＢ２００は、ＡＰ４００と直接的に接続されている場合に、自局が併設タイプである旨の通知と共に、ＵＥ１００がＡＰ４００を発見するためのスキャンを行うチャンネルを指定する情報を送信してもよい。これにより、ＵＥ１００は、チャンネルを指定する情報に基づいて、スキャンすることにより、効率的にＡＰを発見することができる。
【０１３２】
また、ｅＮＢ２００は、コロケーティッドＡＰリストに存在する小セルを認識した場合にのみ測定報告（Ｍｅａｓｕｒｅｍｅｎｔ  Ｒｅｐｏｒｔ）を行うように測定設定（Ｍｅａｓｕｒｅｍｅｎｔ  Ｃｏｎｆｉｇ．）をＵＥ１００に送信してもよい。この場合、ｅＮＢ２００は、ＵＥ１００から測定報告を受信するとすぐにＡＰ４００の識別子をＵＥ１００に知らせることができる。
【０１３３】
また、コロケーティッドＡＰリストには、小セルのセルＩＤの他に、併設タイプであるＨｅＮＢ３００と同じ場所に配置されたＡＰ４００の識別子が含まれていてもよい。ＵＥ１００は、ＨｅＮＢ３００が併設タイプであることを認識した場合に、認識したＨｅＮＢ３００に対応するＡＰ４００の識別子に基づいて、スキャンを行ってもよい。
【０１３４】
また、上述した実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１３５】
１０…Ｅ−ＵＴＲＡＮ、  ２０…ＥＰＣ、  １００，１００−１，１００−２，１００−３…ＵＥ（ユーザ端末）、  １０１，１０２…アンテナ、  １１１…セルラ送受信機、  １１２…ＷＬＡＮ送受信機、  １２０…ユーザインターフェイス、  １３０…ＧＮＳＳ受信機、  １４０…バッテリ、  １５０…メモリ、  １６０，１６０’…プロセッサ、  ２００，２００−１，２００−２…ｅＮＢ（無線基地局）、  ２０１…アンテナ、  ２１０…セルラ送受信機、  ２２０…ネットワークインターフェイス、  ２３０…メモリ、  ２４０…プロセッサ、３００…ＨｅＮＢ、  ３０１…アンテナ、  ３１０…セルラ送受信機、  ３２０…ネットワークインターフェイス、  ３３０…メモリ、  ３４０…プロセッサ、４００…ＡＰ、  ４０１…アンテナ、  ４１０…ＷＬＡＮ送受信機、  ４２０…ネットワークインターフェイス、  ４３０…メモリ、  ４４０…プロセッサ、  ５００，５００−１，５００−２…ＭＭＥ／Ｓ−ＧＷ
【図１】
2014220779.tif 000003
【図２】
2014220779.tif 000004
【図３】
2014220779.tif 000005
【図４】
2014220779.tif 000006
【図５】
2014220779.tif 000007
【図６】
2014220779.tif 000008
【図７】
2014220779.tif 000009
【図８】
2014220779.tif 000010
【図９】
2014220779.tif 000011
【図１０】
2014220779.tif 000012
【図１１】
2014220779.tif 000013
【図１２】
2014220779.tif 000014